(57)【要約】【課題】傘布の内側に内張り布を設けた洋傘において、傘を畳んだときに内張り布が垂れ下がることのないようにし、傘を畳んだときの外観形態を低下させることがなく、また、内張り布を修正するような手間が省ける洋傘を提供する。【解決手段】下ロクロ５の上下動によって傘布８を開閉させるようにした洋傘１において、前記傘布８の内側に、傘布８の内面でこの傘布８の先端周縁部から支骨６と親骨４の枢着部の間に重なり状となり、かつ、各支骨６間で展張状態となる内張り布１２を設け、この内張り布１２の隣接する結合金具７の間に位置する部分のそれぞれに、内張り布１２の垂れ下がり防止糸１６の下端を連結し、各垂れ下がり防止糸１６の上端を中心軸２の上端部に糸止布１７を介して結合する。【選択図】図２
2007244587.tif 000002
【特許請求の範囲】
【請求項１】
中心軸の上端部に上ロクロで複数本の親骨を放射状の配置で取付け、前記中心軸に摺動自在に設けた下ロクロに親骨と等しい数の支骨の下端部を取付け、この支骨の先端を対応する親骨の長さ方向の途中に枢着し、前記親骨の外側に傘布を張設し、下ロクロの上下動によって傘布を開閉させるようにした洋傘において、
前記傘布の内側に、傘布の内面でこの傘布の先端周縁部から支骨と親骨の枢着部の間に重なり状となり、かつ、各支骨間で展張状態となる内張り布を設け、この内張り布の支骨と親骨の隣接する枢着部間に位置する部分のそれぞれに、内張り布の垂れ下がり防止糸の下端を連結し、各垂れ下がり防止糸の上端を中心軸の上端部に結合したことを特徴とする洋傘。
【請求項２】
上記内張り布は、外周縁が傘布の外周縁に縫着され、内周側端部が下ロクロに取付けられ、傘を開いた状態で、傘布の内面に重なり、かつ、支骨間で展張状態となるよう、支骨と親骨の枢着部に位置する部分が枢着部に取付けられ、上記垂れ下がり防止糸が、傘を閉じたときに内張り布が垂れ下がらないように保持し、傘を開いた状態で少し弛む程度の長さに設定されていることを特徴とする請求項１に記載の洋傘。
【発明の詳細な説明】
【技術分野】
【０００１】
この発明は、傘布の内側に内張り布を設け、この内張り布に絵柄模様を表記したり、内張り布の材質を選択することにより、高級感を向上させることができるようにした洋傘に関する。
【背景技術】
【０００２】
従来の一般的な洋傘は、中心軸の上端部に上ロクロで複数本の親骨を放射状の配置で取付け、前記中心軸に摺動自在に設けた下ロクロに親骨と等しい数の支骨の下端部を取付け、この支骨の先端を対応する親骨の長さ方向の途中に枢着し、前記親骨の外側に傘布を張設し、下ロクロの上下動によって傘布を開閉させるような構造になっている。
【０００３】
このような洋傘の高級感を向上させるため、上記傘布の内側に内張り布を設け、この内張り布に絵柄模様を表記したり、内張り布の材質に美観と意匠性に優れたものを選択するようにした洋傘が提案されている（例えば、特許文献１参照）。
【０００４】
上記洋傘における内張り布は、傘布の内面でこの傘布の先端周縁部から支骨と親骨の枢着部の間に重なり状となって外周縁が傘布の外周縁に縫着され、かつ、各支骨間で展張状態となる内周側端部が下ロクロに取付けられ、傘を開いた状態で、傘布の内面に重なり、かつ、支骨間で展張状態となるよう、支骨と親骨の枢着部に位置する部分が枢着部に取付けられている。
【特許文献１】意匠登録第１２０４６０１号公報
【発明の開示】
【発明が解決しようとする課題】
【０００５】
ところで、上記のような洋傘の内張り布は、支骨と親骨の隣接する枢着部間に位置する部分が傘布と遊離する構造になっているため、傘を畳んだとき同時に畳まれる内張り布は、前記した支骨と親骨の隣接する枢着部間に位置する部分が垂れ下がることになり、このような垂れ下がりが各親骨間で生じると、畳まれた内張り布の支骨と親骨の隣接する枢着部間に位置していた部分が嵩高くなり、この内張り布の部分的な嵩張りが傘布の途中に膨らみとなって現れ、傘を畳んだときの外観形態を低下させることになり、また、折畳状態の外観を整えるためには、畳んだ傘布内に手を入れ、内張り布の部分的な嵩張り部分を中心軸の上端側に向けて押し込むように修正しなければならないという問題が発生する。
【０００６】
そこで、この発明の課題は、傘布の内側に内張り布を設けた洋傘において、傘を畳んだときに内張り布の支骨と親骨の隣接する枢着部間に位置する部分が垂れ下がることのないようにし、傘を畳んだときの外観形態を低下させることがなく、また、内張り布の部分的な嵩張り部分を修正するような作業の手間が省ける洋傘を提供することにある。
【課題を解決するための手段】
【０００７】
上記のような課題を解決するため、この発明は、中心軸の上端部に上ロクロで複数本の親骨を放射状の配置で取付け、前記中心軸に摺動自在に設けた下ロクロに親骨と等しい数の支骨の下端部を取付け、この支骨の先端を対応する親骨の長さ方向の途中に枢着し、前記親骨の外側に傘布を張設し、下ロクロの上下動によって傘布を開閉させるようにした洋傘において、前記傘布の内側に、傘布の内面でこの傘布の先端周縁部から支骨と親骨の枢着部の間に重なり状となり、かつ、各支骨間で展張状態となる内張り布を設け、この内張り布の支骨と親骨の隣接する枢着部間に位置する部分のそれぞれに、内張り布の垂れ下がり防止糸の下端を連結し、各垂れ下がり防止糸の上端を中心軸の上端部に結合した構成を採用したものである。
【０００８】
上記内張り布は、外周縁が傘布の外周縁に縫着され、内周側端部が下ロクロに取付けられ、傘を開いた状態で、傘布の内面に重なり、かつ、支骨間で展張状態となるよう、支骨と親骨の枢着部に位置する部分が枢着部に取付けられ、上記垂れ下がり防止糸が、傘を閉じたときに内張り布が垂れ下がらないように保持し、傘を開いた状態で少し弛む程度の長さに設定されている構造とすることができる。
【０００９】
ここで、内張り布と親骨の重なり部分及び、内張り布と支骨の重なり部分は、複数箇所が環糸で結合され、傘を開いたときに内張り布が弛みなく緊張状態で展張されるようになっている。
【００１０】
また、上記内張り布は、例えば、薄手の布地やレース地を用い、所望の位置に図柄や模様等が表記されていると共に、上記垂れ下がり防止糸は細くて透明な樹脂糸を用い、その下端を内張り布の支骨と親骨の枢着部間に位置する部分に結合し、上端は、上ロクロを覆うよう中心軸の上端に取付けた覆い布に結合されている。
【発明の効果】
【００１１】
この発明によると、洋傘の傘布の内側に内張り布を設け、この内張り布の支骨と親骨の隣接する枢着部間に位置する部分のそれぞれに、内張り布の垂れ下がり防止糸の下端を連結し、各垂れ下がり防止糸の上端を中心軸の上端部に結合したので、傘を畳んだときに内張り布の支骨と親骨の隣接する枢着部間に位置する部分が垂れ下がり防止糸で吊り下げ保持され、内張り布の部分的な垂れ下がり発生を防ぐことができ、内張り布の垂れ下がりによる傘布の膨らみを防げるので、傘を畳んだときの外観形態がよくなり、高級傘の商品価値を一段と向上させることができる。
【００１２】
また、傘を畳んだときに内張り布の部分的な垂れ下がりの発生がないので、畳んだ傘布内に手を入れて内張り布の部分的な嵩張り部分を修正するような手間が省けることになる。
【発明を実施するための最良の形態】
【００１３】
以下、この発明の実施の形態を添付図面に基づいて説明する。
【００１４】
図示のように、洋傘１は、中心軸２の上端部に上ロクロ３で複数本の親骨４を放射状の配置で取付け、前記中心軸２に摺動自在に設けた下ロクロ５に親骨４と等しい数の支骨６の下端部を取付け、この支骨６の先端を対応する親骨２の長さ方向の途中に結合金具７を用いて枢着し、前記親骨４の外側に傘布８を張設し、親骨４の露先９を設けた先端部と傘布８の外周縁を縫着結合し、下ロクロ５の上下動操作によって洋傘１を開閉させるようになっている。
【００１５】
この下ロクロ５は、押し上げることによって、中心軸２の上部に設けた上係止具１０で上昇位置が係止され、親骨４が弧状に湾曲して傘布８が展張された洋傘１の開いた状態が保持されると共に、引き下げることによって、親骨４が直線状態で集合して傘布８が折り畳まれ、中心軸２の下部に設けた下係止具１１で洋傘１の閉じた状態が保持される。
【００１６】
上記傘布８の内側には、図４のように、洋傘１を開いた状態で、前記傘布８に対して外周縁部から支骨６と親骨４の枢着部の間に重なり状となり、かつ、各支骨６群の下面側で展張状態となる内張り布１２が設けられている。
【００１７】
上記内張り布１２は、薄手の布地やレース地を用いて傘布８と平面的に略等しい平面的な大きさを有し、例えば、傘布８と重なる位置等の所望の位置に図柄Ａや模様等が表記されていると共に、この内張り布１２の外周縁は傘布８の外周縁に縫着され、中心部は下ロクロ５に外嵌したリング体１３に固定され、更に、内張り布１２の結合金具７に臨む部分が結合金具７に糸１４で取付けられており、また、内張り布１２と親骨４の重なり部分及び、内張り布１２と支骨６の重なり部分は、複数箇所が環糸１５で結合され、これによって、洋傘１を開いたときに内張り布１２が、傘布８の内面に重なりかつ、各支骨６群の下面側で弛みなく緊張状態に展張されるようになっている。
【００１８】
上記内張り布１２の隣接する結合金具７間に位置するそれぞれの部分に、内張り布１２の垂れ下がり防止糸１６の下端が連結され、各垂れ下がり防止糸１６の上端が中心軸２の上端部に結合されている。なお、中心軸２の上端部には、上ロクロ３を覆うことができる天布１８と、その上側に糸止布１７が重なるように取付けてある。
【００１９】
上記垂れ下がり防止糸１６は細くて強度の有る糸であればよいが、例えば、テングスのような透明樹脂糸を用い、その下端側を内張り布１２の隣接する結合金具７間に位置する部分に結合し、上端側は上記した糸止布１７の周縁部に孔を利用して結合され、この垂れ下がり防止糸１６は、洋傘１を閉じたときに内張り布１２の途中が垂れ下がらないように保持し、洋傘１を開いた状態で少し弛む程度の長さに設定されている。
【００２０】
上記内張り布１２に対する垂れ下がり防止糸１６の結合位置は、図２や図５のように、内張り布１２の傘布８の内面に重なる部分と各支骨６群の下面側に展張される部分の丁度屈曲する部位に該当し、洋傘１の折り畳み時に、傘布８の内面から遊離しようとする内張り布１２の前記部位を、垂れ下がり防止糸１６で吊り下げ保持し、垂れ下がりの発生を防ぐものである。
【００２１】
この発明の洋傘１は上記のような構成であり、下ロクロ５を上昇位置に押し上げて上係止具１０に係止し、洋傘１を開いた状態にすると、図２乃至図４のように、支骨６で途中が押し上げられた親骨４は先端下がりに湾曲して傘布８が展張され、このとき、内張り布１２は、結合金具７に縫着されている部分が結合金具７と一体に移動することで全体が緊張しながら展開し、外周縁と結合金具７の間に位置する部分が傘布８の内面に重なり、かつ、結合金具７と下ロクロ５の間が支骨６間の下面で展張状態となり、洋傘１をさした人は、所望の位置に施した図柄Ａや模様等が見えることになる。
【００２２】
このとき、上記内張り布１２の隣接する結合金具７間に位置する部分と中心軸２の上端部を結合する垂れ下がり防止糸１６は、親骨４と同様に拡がり、内張り布１２の展開を可能にしている。
【００２３】
次に、下ロクロ５を引き下げて洋傘１を閉じると、支骨６で引き下げられた親骨４は直線状態となって集合し、傘布８は畳まれて親骨４間に収まり、内張り布１２の外周縁と結合金具７の間に位置する部分が傘布８に追従して折り畳まれ、支骨６間の下面で展張していた部分は集合した支骨６の周囲を包むように畳まれる。
【００２４】
上記のように、内張り布１２が折り畳まれるとき、この内張り布１２の支骨６と親骨４の隣接する枢着部間に位置する部分が、内張り布１２の垂れ下がり防止糸１６で中心軸２の上端部に糸止布１７を介して結合されているので、図５のように、この防止糸１６による引っ張りによって、前記内張り布１２の隣接する結合金具７の間に位置する部分は、垂れ下がりの発生がなく、これによって、内張り布１２の部分的な垂れ下がりによる嵩張りによって畳んだ傘布８の途中が膨らむのを防ぐことができ、洋傘１を畳んだときの外観形態がよくなり、高級洋傘の商品価値を一段と向上させることができる。
【００２５】
また、洋傘１を畳んだときに内張り布１２の部分的な垂れ下がりを防止糸１６で防ぐことができるので、畳んだ傘布８の中に手を入れて内張り布１２の垂れ下がり部分を直して嵩張り部分を修正するような作業が省けることになる。
【図面の簡単な説明】
【００２６】
【図１】この発明に係る洋傘の開いた状態を示す全体の正面図
【図２】この発明に係る洋傘の開いた状態で傘布の一部を切り欠いた要部の拡大した斜視図
【図３】図１の矢視Ａ−Ａの内張り布を一部切り欠いた拡大底面図
【図４】この発明に係る洋傘の開いた状態を示す要部を拡大した縦断正面図
【図５】この発明に係る洋傘の閉じた状態を示す傘布を省いた斜視図
【符号の説明】
【００２７】
１          洋傘
２          中心軸
３          上ロクロ
４          親骨
５          下ロクロ
６          支骨
７          結合金具
８          傘布
９          露先
１０        上係止具
１１        下係止具
１２        内張り布
１３        リング体
１４        糸
１５        環糸
１６        垂れ下がり防止糸
１７        糸止布
１８        天布
【図１】
2007244587.tif 000003
【図２】
2007244587.tif 000004
【図３】
2007244587.tif 000005
【図４】
2007244587.tif 000006
【図５】
2007244587.tif 000007